(57)【要約】【課題】本体ケーシングに対する第１カートリッジおよび第２カートリッジの装着を、誤りにくくすることができる画像形成装置を提供する。【解決手段】  画像形成装置１は、本体ケーシング２と、本体ケーシング２に装着可能な第１カートリッジ３と、第１カートリッジ３とは独立して本体ケーシング２に装着可能な第２カートリッジ４とを備える。本体ケーシング２は、第１カートリッジ３をガイドする第１ガイド５と、第２カートリッジ４をガイドする第２ガイド６と、第１カートリッジ３を第１ガイド５に向けてガイドする第３ガイド７とを備える。第３ガイド７は、本体ケーシング２外に突出する第１突出位置と、本体ケーシング２内に収容される第１収容位置との間を、第２ガイド６に対して相対的に移動可能である。【選択図】図１
2019015787.tif 000002
【特許請求の範囲】
【請求項１】
本体ケーシングと、
前記本体ケーシングに装着可能な第１カートリッジと、
前記第１カートリッジとは独立して前記本体ケーシングに装着可能な第２カートリッジと、
を備え、
前記本体ケーシングは、
前記第１カートリッジが前記本体ケーシングに装着されるときに、前記第１カートリッジをガイドする第１ガイドであって、前記本体ケーシング内に位置する第１ガイドと、
前記第２カートリッジが前記本体ケーシングに装着されるときに、前記第２カートリッジをガイドする第２ガイドであって、前記本体ケーシング内に位置する第２ガイドと、
前記第１カートリッジが前記本体ケーシングに装着されるときに前記第１ガイドに案内される方向である第１装着方向において前記第１ガイドの上流側に位置する第３ガイドであって、前記第１カートリッジが前記本体ケーシングに装着されるときに、前記第１カートリッジを前記第１ガイドに向けてガイドする第３ガイドであり、前記本体ケーシング外に突出する第１突出位置と、前記本体ケーシング内に収容される第１収容位置との間を、前記第２ガイドに対して相対的に移動可能な第３ガイドと
を備えることを特徴とする、画像形成装置。
【請求項２】
前記第３ガイドは、前記第１装着方向に延び、かつ、前記第１装着方向および上下方向の両方と交差する幅方向に延びるガイド面を有することを特徴とする、請求項１に記載の画像形成装置。
【請求項３】
前記第１カートリッジは、感光ドラムを備えるドラムカートリッジであり、
前記第２カートリッジは、現像ローラを備える現像カートリッジであることを特徴とする、請求項１または請求項２に記載の画像形成装置。
【請求項４】
前記第３ガイドは、前記第１装着方向に沿って、前記第１突出位置と前記第１収容位置との間を、スライドすることを特徴とする、請求項１から請求項３のいずれか一項に記載の画像形成装置。
【請求項５】
前記第３ガイドが前記第１突出位置に位置する状態で、前記第３ガイドと前記第１ガイドとは、前記第１装着方向において連続することを特徴とする、請求項１から請求項４のいずれか一項に記載の画像形成装置。
【請求項６】
前記第１ガイドは、第１の幅を有する第１ガイド面と、第１の幅よりも短い第２の幅を有する第２ガイド面であって、前記第１装着方向において前記第１ガイド面の上流側に位置する第２ガイド面とを有し、
前記第３ガイドは、第３の幅を有する第３ガイド面と、第３の幅よりも短い第４の幅を有する第４ガイド面であって、前記第１装着方向において前記第３ガイド面の下流側に位置する第４ガイド面とを有し、
前記第４ガイド面は、前記第３ガイドが前記第１突出位置に位置する状態で、前記幅方向において、前記第２ガイド面と異なる位置に位置することを特徴とする、請求項５に記載の画像形成装置。
【請求項７】
前記第４ガイド面は、前記第１カートリッジが前記本体ケーシング内に収容されている状態で、前記幅方向において、前記第２ガイド面に対して、前記第１カートリッジの反対側に位置することを特徴とする、請求項６に記載の画像形成装置。
【請求項８】
前記本体ケーシングは、前記第１収容位置に位置する前記第３ガイドを前記第１突出位置に向かって押圧する押圧部材を、さらに備えることを特徴とする、請求項１から請求項７のいずれか一項に記載の画像形成装置。
【請求項９】
前記本体ケーシングは、前記第２カートリッジが前記本体ケーシングに装着されるときに前記第２ガイドに案内される方向である第２装着方向において前記第２ガイドの上流側に位置する第４ガイドであって、前記第２カートリッジが前記本体ケーシングに装着されるときに、前記第２カートリッジを前記第２ガイドに向けてガイドする第４ガイドであり、前記本体ケーシング外に突出する第２突出位置と、前記本体ケーシング内に収容される第２収容位置との間を、前記第１ガイドに対して相対的に移動可能な第４ガイドを、さらに備え、
前記第４ガイドは、前記第３ガイドが前記第１突出位置に位置するときに、前記第２収容位置に位置し、前記第３ガイドが前記第１収容位置に位置するときに、前記第２突出位置に位置することを特徴とする、請求項１から請求項７のいずれか一項に記載の画像形成装置。
【請求項１０】
前記第４ガイドは、前記第２装着方向に沿って、前記第２突出位置と前記第２収容位置との間を、スライドすることを特徴とする、請求項９に記載の画像形成装置。
【請求項１１】
前記第３ガイドと前記第４ガイドとを連動させるためのリンク部材を、さらに有することを特徴とする、請求項９または請求項１０に記載の画像形成装置。
【請求項１２】
前記リンク部材は、一端と、前記一端から離れて位置する他端とを有し、前記本体ケーシングに対して回動可能であり、
前記本体ケーシングは、
前記第３ガイドに連結されるとともに、前記リンク部材の一端に連結される第１連結部材であって、前記第３ガイドを前記第１突出位置に位置させる第１位置と、前記第３ガイドを前記第１収容位置に位置させる第２位置との間を移動可能な第１連結部材と、
前記第４ガイドに連結されるとともに、前記リンク部材の他端に連結される第２連結部材であって、前記第４ガイドを前記第２突出位置に位置させる第３位置と、前記第４ガイドを前記第２収容位置に位置させる第４位置との間を移動可能な第２連結部材と、
をさらに備えることを特徴とする、請求項１１に記載の画像形成装置。
【請求項１３】
前記第１カートリッジは、前記幅方向に延びるボスを有し、
前記第１連結部材は、前記幅方向に延びるリブであって、前記第１カートリッジが前記本体ケーシングに装着されるときに、前記第１装着方向において前記ボスと当たるリブを有することを特徴とする、請求項１２に記載の画像形成装置。
【請求項１４】
前記本体ケーシングは、前記第２位置に位置する前記第１連結部材を前記第１位置に向かって押圧する第２押圧部材を、さらに備えることを特徴とする、請求項１２または請求項１３に記載の画像形成装置。
【請求項１５】
前記本体ケーシングは、前記第１カートリッジおよび前記第２カートリッジを前記本体ケーシングに装着するための開口を有し、
前記本体ケーシングは、さらに、前記開口を開放する開位置と、前記開口を閉鎖する閉位置との間を移動可能なカバーを備え、
前記第３ガイドは、
前記第１連結部材に対して、前記第１装着方向に移動可能に連結され、
前記第１カートリッジが前記本体ケーシングから取り外され、かつ、前記第１連結部材が前記第１位置に位置する状態で、前記カバーが前記閉位置に位置するときに、前記第１収容位置に位置し、前記カバーが前記開位置に位置するときに、前記第１突出位置に位置し、
前記第１連結部材は、前記第１カートリッジが前記本体ケーシングから取り外され、かつ、前記第１連結部材が前記第１位置に位置する状態で、前記第１収容位置に位置する前記第３ガイドを前記第１突出位置へ向かって押圧する第３押圧部材を備えることを特徴とする、請求項１２から請求項１４のいずれか一項に記載の画像形成装置。
【請求項１６】
前記本体ケーシングは、前記第１カートリッジおよび前記第２カートリッジを前記本体ケーシングに装着するための開口を有し、
前記本体ケーシングは、さらに、前記開口を開放する開位置と、前記開口を閉鎖する閉位置との間を移動可能なカバーを備え、
前記第４ガイドは、
前記第２連結部材に対して、前記第２装着方向に移動可能に連結され、
前記第２連結部材が前記第３位置に位置する状態で、前記カバーが前記閉位置に位置するときに、前記第２収容位置に位置し、前記カバーが前記開位置に位置するときに、前記第２突出位置に位置し、
前記第２連結部材は、前記第２連結部材が前記第３位置に位置する状態で、前記第２収容位置に位置する前記第４ガイドを前記第２突出位置へ向かって押圧する第４押圧部材を備えることを特徴とする、請求項１２から請求項１５のいずれか一項に記載の画像形成装置。
【請求項１７】
前記本体ケーシングは、前記第１カートリッジおよび前記第２カートリッジを前記本体ケーシングに装着するための開口を有し、
前記本体ケーシングは、さらに、前記開口を開放する開位置と、前記開口を閉鎖する閉位置との間を移動可能なカバーを備え、
前記第３ガイドは、前記カバーが前記閉位置に位置するときに、前記第１収容位置に位置し、前記カバーが前記開位置に位置するときに、前記第１突出位置に位置することを特徴とする、請求項１から請求項１４のいずれか一項に記載の画像形成装置。
【発明の詳細な説明】
【技術分野】
【０００１】
本発明は、画像形成装置に関する。
【背景技術】
【０００２】
従来、本体ケーシングと、本体ケーシングに装着可能な第１カートリッジと、第１カートリッジとは独立して本体ケーシングに装着可能な第２カートリッジとを備える画像形成装置が知られている（下記特許文献１参照）。
【０００３】
本体ケーシングは、第１カートリッジをガイドする第１ガイドと、第２カートリッジをガイドする第２ガイドとを有する。
【先行技術文献】
【特許文献】
【０００４】
【特許文献１】特開平８−９５４６７号公報
【発明の概要】
【発明が解決しようとする課題】
【０００５】
しかし、上記特許文献１に記載される画像形成装置では、第１カートリッジおよび第２カートリッジが本体ケーシングから離脱されている場合、第１ガイドおよび第２ガイドのどちらに、第１カートリッジおよび第２カートリッジのどちらを嵌めるべきか、ユーザが理解しにくい。
【０００６】
そのため、ユーザーは、本体ケーシングに対する第１カートリッジおよび第２カートリッジの装着を、誤りやすい。
【０００７】
そこで、本開示の目的は、本体ケーシングに対する第１カートリッジおよび第２カートリッジの装着を、誤りにくくすることができる画像形成装置を提供することにある。
【課題を解決するための手段】
【０００８】
本発明の画像形成装置は、本体ケーシングと、第１カートリッジと、第２カートリッジとを備える。第１カートリッジは、本体ケーシングに装着可能である。第２カートリッジは、第１カートリッジとは独立して本体ケーシングに装着可能である。
【０００９】
本体ケーシングは、第１ガイドと、第２ガイドと、第３ガイドとを備える。
【００１０】
第１ガイドは、第１カートリッジが本体ケーシングに装着されるときに、第１カートリッジをガイドする。第１ガイドは、本体ケーシング内に位置する。
【００１１】
第２ガイドは、第２カートリッジが本体ケーシングに装着されるときに、第２カートリッジをガイドする。第２ガイドは、本体ケーシング内に位置する。
【００１２】
第３ガイドは、第１カートリッジが本体ケーシングに装着されるときに第１ガイドに案内される方向である第１装着方向において第１ガイドの上流側に位置する。第３ガイドは、第１カートリッジが本体ケーシングに装着されるときに、第１カートリッジを第１ガイドに向けてガイドする。第３ガイドは、本体ケーシング外に突出する第１突出位置と、本体ケーシング内に収容される第１収容位置との間を、第２ガイドに対して相対的に移動可能である。
【００１３】
このような構成によれば、第１カートリッジおよび第２カートリッジが本体ケーシングから離脱されている場合、第３ガイドが第１突出位置に位置することにより、ユーザーは、第３ガイドに第１カートリッジまたは第２カートリッジを嵌めるということに、気付くことができる。また、第３ガイドが第１突出位置に移動することから、ユーザーは、移動する第３ガイドに注目しやすい。これにより、ユーザーは、第３ガイドに第１カートリッジまたは第２カートリッジを嵌めるということに、気付くことができる。
【００１４】
これにより、第１ガイドおよび第２ガイドのいずれか一方に、第１カートリッジおよび第２カートリッジのいずれか一方を嵌める場合と比べて、ユーザーが誤って、第１カートリッジを第２ガイドに嵌めたり、第１カートリッジを第１ガイドに嵌める前に第２カートリッジを第２ガイドに嵌めたりすることを防止できる。
【００１５】
その結果、本体ケーシングに対する第１カートリッジおよび第２カートリッジの装着を、誤りにくくすることができる。
【発明の効果】
【００１６】
本発明の画像形成装置によれば、本体ケーシングに対する第１カートリッジおよび第２カートリッジの装着を、誤りにくくすることができる。
【図面の簡単な説明】
【００１７】
【図１】図１Ａは、本発明の画像形成装置を示す概略図であって、第３ガイドが第１突出位置に位置する状態を示す。図１Ｂは、図１Ａに続いて、第３ガイドが第１収容位置に位置する状態を示す。
【図２】図２は、第１実施形態の画像形成装置を示す断面図であって、第３ガイドが第１突出位置に位置する状態を示す。
【図３】図３は、図２に示す第１ガイド、第２ガイドおよび第３ガイドを示す斜視図である。
【図４】図４は、ケーシングに対する第１カートリッジおよび第２カートリッジの装着を説明するための説明図であり、ケーシングに第１カートリッジが装着された状態を示す。
【図５】図５は、図４に続いて、ケーシングに第２カートリッジが装着された状態を示す。
【図６】図６Ａは、第２実施形態の画像形成装置を示す概略図であって、第３ガイドが第１突出位置に位置し、第４ガイドが第２収容位置に位置する状態を示す。図６Ｂは、図６Ａに続いて、第３ガイドが第１収容位置に位置し、第４ガイドが第２突出位置に位置する状態を示す。
【図７】図７は、第２実施形態の画像形成装置を示す断面図であって、第３ガイドが第１突出位置に位置し、第４ガイドが第２収容位置に位置する状態を示す。
【図８】図８は、図７に示す第１ガイド、第２ガイド、第３ガイド、第１連結部材および第４ガイドを示す斜視図である。
【図９】図９は、図８に示す第３ガイドおよび第４ガイドを取り外すとともに、第２連結部材を示す斜視図である。
【図１０】図１０は、図７に示す第１連結部材、第２連結部材、および、リンク部材を示す斜視図である。
【図１１】図１１Ａは、図７に示す第１カートリッジの断面図である。図１１Ｂは、図７に示す第２カートリッジの側面図である。
【図１２】図１２は、ケーシングに対する第１カートリッジおよび第２カートリッジの装着を説明するための説明図であり、第１カートリッジおよび第２カートリッジがケーシングから離脱され、ケーシングのカバーが閉位置に位置し、第１連結部材が第１位置に位置し、第３ガイドが第１収容位置に位置し、第４ガイドが第２収容位置に位置する状態を示す。
【図１３】図１３は、図１２に続いて、ケーシングに第１カートリッジが挿入され、第１カートリッジのボスが第１連結部材のリブに当たった状態を示す。
【図１４】図１４は、図１３に続いて、ケーシングに対する第１カートリッジの装着が完了し、第３ガイドが第１収容位置に位置し、第４ガイドが第２突出位置に位置した状態を示す。
【図１５】図１５は、図１４に続いて、ケーシングに第２カートリッジが挿入され、第２カートリッジのリブが第１カートリッジのハンドルに当たった状態を示す。
【図１６】図１６は、図１５に続いて、ケーシングに対する第２カートリッジの装着が完了した状態を示す。
【図１７】図１７は、図１６に続いて、ケーシングのカバーが閉位置に位置し、第４ガイドが第２収容位置に位置した状態を示す。
【発明を実施するための形態】
【００１８】
１．画像形成装置１の概略
図１Ａおよび図１Ｂを参照して、画像形成装置１の概略について説明する。
【００１９】
画像形成装置１は、本体ケーシング２と、第１カートリッジ３と、第２カートリッジ４とを備える。本体ケーシング２は、第１カートリッジ３および第２カートリッジ４を本体ケーシング２に装着するための開口２Ａと、開口２Ａに連通する内部空間２Ｂとを有する。開口２Ａは、第１カートリッジ３が本体ケーシング２に装着されるとき、および、第２カートリッジ４が本体ケーシング２に装着されるときに、共通して使用される。内部空間２Ｂは、第１カートリッジ３と第２カートリッジ４とを収容可能である。
【００２０】
１．１  第１カートリッジ３
第１カートリッジ３は、本体ケーシング２に装着可能である。第１カートリッジ３は、本体ケーシング２に対して装着されるときに、開口２Ａを通って内部空間２Ｂ内に収容される。
【００２１】
１．２  第２カートリッジ４
第２カートリッジ４は、第１カートリッジ３とは独立して本体ケーシング２に装着可能である。第２カートリッジ４は、本体ケーシング２に対して装着されるときに、開口２Ａを通って内部空間２Ｂ内に収容される。
【００２２】
１．３  本体ケーシング２
本体ケーシング２は、カバー２Ｃと、第１ガイド５と、第２ガイド６と、第３ガイド７とを備える。
【００２３】
１．３．１  カバー２Ｃ
カバー２Ｃは、開口２Ａを開放する開位置（図１Ａ参照）と、開口２Ａを閉鎖する閉位置（図１Ｂ参照）との間を移動可能である。
【００２４】
１．３．２  第１ガイド５
第１ガイド５は、第１カートリッジ３が本体ケーシング２に装着されるときに、第１カートリッジ３をガイドする。第１ガイド５は、本体ケーシング２内に位置する。
【００２５】
１．３．３  第２ガイド６
第２ガイド６は、第２カートリッジ４が本体ケーシング２に装着されるときに、第２カートリッジ４をガイドする。第２ガイド６は、本体ケーシング２内に位置する。
【００２６】
１．３．４  第３ガイド７
第３ガイド７は、本体ケーシング２外に突出する第１突出位置（図１Ａ参照）と、本体ケーシング２内に収容される第１収容位置（図１Ｂ参照）との間を、第２ガイド６に対して相対的に移動可能である。第３ガイド７は、第１突出位置に位置する状態で、第１カートリッジ３が本体ケーシング２に装着されるときに、第１カートリッジ３を第１ガイド５に向けてガイドする。第３ガイド７は、第１突出位置に位置する状態で、第１装着方向において第１ガイド５の上流側に位置する。第１装着方向は、第１カートリッジ３が本体ケーシング２に装着されるときに第１ガイド５に案内される方向である。詳しくは、第１装着方向は、第１カートリッジ３が本体ケーシング２に装着されるときに、第１カートリッジ３が第１ガイド５に沿って本体ケーシング２の内部空間２Ｂ内を移動する移動方向である。
【００２７】
２．第１実施形態
図２から図５を参照して、第１実施形態の画像形成装置１０について説明する。なお、第１実施形態の画像形成装置１０において、上記した画像形成装置１の概略で説明した部材と同様の部材には同様の符号を付し、その説明を省略する。
【００２８】
図２に示すように、画像形成装置１０は、本体ケーシング２と、第１カートリッジ３と、第２カートリッジ４と、レーザースキャンユニット１１と、転写ローラ１２と、定着器１３と、給紙部１４と、給紙トレイ１５と、排紙トレイ１６とを備える。
【００２９】
２．１  第１カートリッジ３の詳細
第１カートリッジ３は、ドラムカートリッジである。第１カートリッジ３は、感光ドラム１７と、帯電ローラ１８とを備える。
【００３０】
感光ドラム１７は、表面にトナー像が形成されるように構成される。感光ドラム１７は、幅方向に延びる軸線１７Ａについて回転可能である。幅方向は、第１装着方向および上下方向の両方と交差する。好ましくは、幅方向は、第１装着方向および上下方向の両方と直交する。感光ドラム１７は、軸線１７Ａに沿って延びるドラムシャフト１７Ｂを有する。なお、感光ドラム１７は、軸線１７Ａについて回転可能であればよく、ドラムシャフト１７Ｂを有さなくてもよい。
【００３１】
帯電ローラ１８は、感光ドラム１７の表面を帯電するように構成される。帯電ローラ１８は、感光ドラム１７の表面に接触する。
【００３２】
２．２  第２カートリッジ４の詳細
第２カートリッジ４は、現像カートリッジである。第２カートリッジ４は、トナーを収容する。第２カートリッジ４は、現像ローラ１９と、供給ローラ２０とを備える。
【００３３】
現像ローラ１９は、感光ドラム１７にトナーを供給するように構成される。現像ローラ１９は、第１カートリッジ３と第２カートリッジ４とが本体ケーシング２に装着された状態で、感光ドラム１７の表面に接触する。なお、現像ローラ１９は、第１カートリッジ３と第２カートリッジ４とが本体ケーシング２に装着された状態で、感光ドラム１７の表面に対して、スペースを空けて近接してもよい。
【００３４】
供給ローラ２０は、第２カートリッジ４内のトナーを、現像ローラ１９に供給するように構成される。供給ローラ２０は、第２カートリッジ４内に位置する。供給ローラ２０は、現像ローラ１９の表面に接触する。
【００３５】
２．３  本体ケーシング２の詳細
本体ケーシング２は、レーザースキャンユニット１１、転写ローラ１２、定着器１３、給紙部１４および給紙トレイ１５を収容する。内部空間２Ｂは、定着器１３とカバー２Ｃとの間、かつ、レーザースキャンユニット１１と転写ローラ１２との間に位置する。本体ケーシング２は、第１ガイド５と、第２ガイド６と、第３ガイド７と、押圧部材２１とを有する。
【００３６】
２．３．１  第１ガイド５の詳細
第１ガイド５は、第１カートリッジ３が本体ケーシング２に装着されるときに、感光ドラム１７が転写ローラ１２と接触する位置まで、第１カートリッジ３をガイドする。第１ガイド５は、第１装着方向に延びる。第１ガイド５は、上下方向において、レーザースキャンユニット１１と第２ガイド６との間に位置する。言い換えると、第１ガイド５は、第１装着方向および幅方向と交差する方向において、レーザースキャンユニット１１と第２ガイド６との間に位置する。図３に示すように、第１ガイド５は、幅方向における本体ケーシング２の内面２２に位置する。第１ガイド５は、溝である。第１ガイド５は、第１ガイド面５Ａと、第２ガイド面５Ｂとを有する。なお、第１ガイド５は、第１ガイド面５Ａおよび第２ガイド面５Ｂを有するリブであってもよい。
【００３７】
第１ガイド面５Ａは、第１カートリッジ３が本体ケーシング２に装着されるときに、第１装着方向において、第２ガイド面５Ｂの下流側で、第１カートリッジ３の一部と接触する。第１カートリッジ３の一部は、具体的には、ドラムシャフト１７Ｂ（図２参照）である。第１ガイド面５Ａは、第１の幅Ｗ１を有する。幅とは、幅方向における長さを意味する。
【００３８】
第２ガイド面５Ｂは、第１カートリッジ３が本体ケーシング２に装着されるときに、第１装着方向において、後述する第４ガイド面２３Ｂの下流側、かつ、第１ガイド面５Ａの上流側で、第１カートリッジ３の一部と接触する。第２ガイド面５Ｂは、第１装着方向において、第１ガイド面５Ａの上流側に位置する。第２ガイド面５Ｂは、第１ガイド面５Ａに連続する。詳しくは、第２ガイド面５Ｂは、幅方向における第１ガイド面５Ａの内側端部に連続する。幅方向における内側とは、第１カートリッジ３が本体ケーシング２内に収容されている状態で、幅方向において、第１カートリッジ３に近い側である。なお、幅方向における外側とは、第１カートリッジ３が本体ケーシング２内に収容されている状態で、幅方向において、第１カートリッジ３から遠い側である。第２ガイド面５Ｂは、第１の幅Ｗ１よりも短い第２の幅Ｗ２を有する。
【００３９】
２．３．２  第２ガイド６の詳細
図２に示すように、第２ガイド６は、第２カートリッジ４が本体ケーシング２に装着されるときに、現像ローラ１９が感光ドラム１７と接触する位置まで、第２カートリッジ４をガイドする。第２ガイド６は、第２装着方向に延びる。第２装着方向は、第２カートリッジ４が本体ケーシング２に装着されるときに第２ガイド６に案内される方向である。詳しくは、第２装着方向は、第２カートリッジ４が本体ケーシング２に装着されるときに第２ガイド６に沿って内部空間２Ｂ内を移動する移動方向である。第２ガイド６は、上下方向において、第１ガイド５に対して、レーザースキャンユニット１１の反対側に位置する。図３に示すように、第２ガイド６は、幅方向における本体ケーシング２の内面２２に位置する。第２ガイド６は、溝である。なお、第２ガイド６は、リブであってもよい。
【００４０】
２．３．３  第３ガイド７
図３に示すように、第３ガイド７は、幅方向における本体ケーシング２の内面２２に支持される。詳しくは、第３ガイド７は、本体ケーシング２の内面２２に形成される凹部２２Ａ内に位置する。第３ガイド７は、第１装着方向に沿って、第１突出位置（図４参照）と第１収容位置（図５参照）との間を、スライドする。第３ガイド７は、カバー２Ｃが開位置に位置するときに、第１突出位置に位置する。第３ガイド７は、カバー２Ｃが閉位置に位置するときに、第１収容位置に位置する。第３ガイド７は、第１装着方向および上下方向に延びる。第３ガイド７は、平板形状を有する。第３ガイド７は、ガイドリブ２３と、ボス２４とを有する。なお、第３ガイド７は、後述する第３ガイド面２３Ａおよび第４ガイド面２３Ｂを有していればよく、ガイドリブ２３の代わりに、第３ガイド面２３Ａおよび第４ガイド面２３Ｂを有するガイド溝を有してもよい。
【００４１】
ガイドリブ２３は、第３ガイド７の下端部に位置する。ガイドリブ２３は、第３ガイド７の内面７Ａから突出する。ガイドリブ２３は、第３ガイド面２３Ａと、第４ガイド面２３Ｂとを有する。すなわち、第３ガイド７は、第３ガイド面２３Ａと、第４ガイド面２３Ｂとを有する。
【００４２】
第３ガイド面２３Ａは、第１カートリッジ３が本体ケーシング２に装着されるときに、第１装着方向において、第４ガイド面２３Ｂの上流側で、第１カートリッジ３の一部と接触する。第３ガイド面２３Ａは、第１装着方向に延び、かつ、幅方向に延びる。第３ガイド面２３Ａは、第３の幅Ｗ３を有する。
【００４３】
第４ガイド面２３Ｂは、第１カートリッジ３が本体ケーシング２に装着されるときに、第１装着方向において、第３ガイド面２３Ａの下流側、かつ、第２ガイド面５Ｂの上流側で、第１カートリッジ３の一部と接触する。第４ガイド面２３Ｂは、第１装着方向において、第３ガイド面２３Ａの下流側に位置する。第４ガイド面２３Ｂは、第３ガイド面２３Ａに連続する。詳しくは、第４ガイド面２３Ｂは、幅方向における第３ガイド面２３Ａの外側端部に連続する。第４ガイド面２３Ｂは、第３ガイド７が第１突出位置に位置する状態で、幅方向において、第２ガイド面５Ｂと異なる位置に位置する。これにより、第４ガイド面２３Ｂは、第３ガイド７が第１収容位置に位置する状態で、幅方向において、第２ガイド面５Ｂの外側に位置する。言い換えると、第４ガイド面２３Ｂは、第１カートリッジ３が本体ケーシング２内に収容されている状態で、幅方向において、第２ガイド面５Ｂに対して、第１カートリッジ３の反対側に位置する。第４ガイド面２３Ｂは、第１装着方向に延び、かつ、幅方向に延びる。第４ガイド面２３Ｂは、第３の幅Ｗ３よりも短い第４の幅Ｗ４を有する。第４ガイド面２３Ｂは、第３ガイド７が第１突出位置に位置する状態で、第１装着方向において、第２ガイド面５Ｂと連続する。ここで、第４ガイド面２３Ｂと第２ガイド面５Ｂとは、第１装着方向において、第１カートリッジ３の一部を受け渡し可能な程度に、実質的に連続していればよい。詳しくは、第４ガイド面２３Ｂと第２ガイド面５Ｂとは、第１装着方向において、第１カートリッジ３の一部を受け渡し可能な程度の間隔を隔てて、離れていてもよい。好ましくは、第４ガイド面２３Ｂは、第３ガイド７が第１突出位置に位置する状態で、幅方向において、第２ガイド面５Ｂと異なる位置に位置しつつ、第１装着方向において、第２ガイド面５Ｂと間隔を隔てずに連続する。これにより、第３ガイド７が第１突出位置に位置する状態で、第３ガイド７と第１ガイド５とは、第１装着方向において連続する。
【００４４】
ボス２４は、第３ガイド７の外面７Ｂから突出する。ボス２４は、幅方向に延びる。ボス２４は、円柱形状を有する。ボス２４は、凹部２２Ａ内の長穴２５に嵌まる。長穴２５は、第１装着方向に延びる。ボス２４が長穴２５に嵌まることにより、第３ガイド７は、第１装着方向に移動可能となる。
【００４５】
２．３．４  押圧部材２１
押圧部材２１は、第１収容位置に位置する第３ガイド７を第１突出位置に向かって押圧する。詳しくは、押圧部材２１は、第３ガイド７の移動方向において弾性変形可能である。具体的には、押圧部材２１は、ばねである。押圧部材２１は、第３ガイド７の移動方向に延びる。押圧部材２１は、ボス２４と接触する。押圧部材２１は、第３ガイド７が第１収容位置に位置する状態で、第３ガイド７の移動方向において、圧縮される。押圧部材２１は、圧縮された状態で、弾性力により、ボス２４を押圧する。押圧部材２１は、第３ガイド７が第１収容位置に位置する状態で、ボス２４を押圧することにより、第３ガイド７を第１突出位置に向かって押圧する。
【００４６】
２．４  レーザースキャンユニット１１、転写ローラ１２、定着器１３、給紙部１４、給紙トレイ１５および排紙トレイ１６
図５に示すように、レーザースキャンユニット１１は、感光ドラム１７の表面を露光するように構成される。転写ローラ１２は、感光ドラム１７の表面に形成されたトナー像を用紙に転写するように構成される。転写ローラ１２は、第１カートリッジ３が本体ケーシング２に装着された状態で、感光ドラム１７の表面に接触する。定着器１３は、トナー像が転写された用紙を加熱および加圧して、用紙にトナー像を定着させるように構成される。給紙部１４は、給紙トレイ１５内の用紙を、感光ドラム１７と転写ローラ１２との間に供給するように構成される。給紙トレイ１５は、用紙を収容するように構成される。排紙トレイ１６は、定着器１３を通過した用紙が排紙されるように構成される。
【００４７】
２．５  第１カートリッジ３および第２カートリッジ４の装着
次いで、本体ケーシング２に対する第１カートリッジ３および第２カートリッジ４の装着について説明する。なお、第２カートリッジ４は、第１カートリッジ３が本体ケーシング２に装着された後に、本体ケーシング２に装着される。
【００４８】
本体ケーシング２に対して第１カートリッジ３および第２カートリッジ４を装着するには、ユーザーは、図２に示すように、まず、カバー２Ｃを開位置に位置させる。
【００４９】
すると、カバー２Ｃが開位置に位置するとともに、第３ガイド７が、第２ガイド６に対して相対的に移動し、第１突出位置に位置する。
【００５０】
これにより、ユーザーは、第１カートリッジ３を第２ガイド６ではなく第３ガイド７に嵌めるということに、気付くことができる。それは、第３ガイド７が内部空間２Ｂから突出していることの効果でもあるが、第３ガイド７が移動することによる効果でもある。ユーザーは、動くものに注目しやすいからである。
【００５１】
そして、ユーザーが、第１カートリッジ３を、第３ガイド７に嵌めて本体ケーシング２の内部空間２Ｂに向かって押し込むと、第１カートリッジ３は、第３ガイド７によってガイドされた後、第１ガイド５によってガイドされて、図４に示すように、感光ドラム１７が転写ローラ１２と接触する位置に位置する。
【００５２】
これにより、本体ケーシング２に対する第１カートリッジ３の装着が完了する。
【００５３】
次いで、ユーザーが、第２カートリッジ４を、第２ガイド６に嵌めて本体ケーシング２の内部空間２Ｂに向かって押し込むと、図５に示すように、第２カートリッジ４は、第２ガイド６によってガイドされて、現像ローラ１９が感光ドラム１７と接触する位置に位置する。
【００５４】
これにより、本体ケーシング２に対する第２カートリッジ４の装着が完了する。
【００５５】
その後、ユーザーがカバー２Ｃを閉位置に位置させると、カバー２Ｃが第３ガイド７に当たることにより、第３ガイド７が第２ガイド６に対して相対的に移動して第１収容位置に位置するとともに、カバー２Ｃが閉位置に位置する。
【００５６】
これにより、本体ケーシング２に対する第１カートリッジ３および第２カートリッジ４の装着が完了する。
【００５７】
２．６  作用効果
画像形成装置１０によれば、図２に示すように、第１カートリッジ３および第２カートリッジ４が本体ケーシング２から離脱されている場合、第３ガイド７が第１突出位置に位置することにより、ユーザーは、第３ガイド７に第１カートリッジ３または第２カートリッジ４を嵌めるということに、気付くことができる。また、カバー２Ｃを開くと第３ガイド７が第１突出位置に移動することから、ユーザーは、移動する第３ガイド７に注目しやすい。これにより、ユーザーは、第３ガイド７に第１カートリッジ３または第２カートリッジ４を嵌めるということに、気付くことができる。
【００５８】
これにより、第１ガイド５および第２ガイド６のいずれか一方に、第１カートリッジ３および第２カートリッジ４のいずれか一方を嵌める場合と比べて、ユーザーが誤って、第１カートリッジ３を第２ガイド６に嵌めたり、第１カートリッジ３を第１ガイド５に嵌める前に第２カートリッジ４を第２ガイド６に嵌めたりすることを防止できる。
【００５９】
その結果、本体ケーシングに対する第１カートリッジおよび第２カートリッジの装着を、誤りにくくすることができる。
【００６０】
なお、第１カートリッジ３を本体ケーシング２に装着した後に第２カートリッジ４を本体ケーシング２に装着することを、ユーザーが理解している場合には、第３ガイド７が第１突出位置に位置することにより、ユーザーは、第３ガイド７に第１カートリッジ３を嵌めるということに、気付くことができる。
【００６１】
この場合、ユーザーは、第３ガイド７および第１ガイドを介して第１カートリッジ３を本体ケーシング２に装着した後、第２ガイドを介して第２カートリッジを本体ケーシング２に装着することができる。
【００６２】
その結果、本体ケーシングに対して第１カートリッジおよび第２カートリッジを誤って装着することを防止できる。
【００６３】
３．第２実施形態
図６Ａから図１７を参照して、第２実施形態の画像形成装置３０について説明する。なお、第２実施形態の画像形成装置３０において、上記した画像形成装置１の概略で説明した部材と同様の部材には同様の符号を付し、その説明を省略する。
【００６４】
図６Ａおよび図６Ｂに示すように、本体ケーシング２は、さらに、第４ガイド３１を備える。第４ガイド３１は、第２装着方向において、第２ガイド６の上流側に位置する。第４ガイド３１は、本体ケーシング２外に突出する第２突出位置（図６Ｂ参照）と、本体ケーシング２内に収容される第２収容位置（図６Ａ参照）との間を、第１ガイド５に対して相対的に移動可能である。
【００６５】
第４ガイド３１は、図６Ａに示すように、第３ガイド７が第１突出位置に位置するときに、第２収容位置に位置する。また、第４ガイド３１は、図６Ｂに示すように、第３ガイド７が第１収容位置に位置するときに、第２突出位置に位置する。第４ガイド３１は、第２カートリッジ４が本体ケーシング２に装着されるときに、第２カートリッジ４を第２ガイド６に向けてガイドする。
【００６６】
以下、第２実施形態の画像形成装置３０の詳細な構造について説明する。
【００６７】
３．１  本体ケーシング２の詳細
図７に示すように、本体ケーシング２は、第１連結部材３２と、第２押圧部材３３と、第２連結部材３４と、リンク部材３５とを、さらに備える。
【００６８】
３．１．１  第１連結部材３２
第１連結部材３２は、第３ガイド７に連結されるとともに、リンク部材３５の一端に連結される。第１連結部材３２は、第３ガイド７を第１突出位置に位置させる第１位置（図７参照）と、第３ガイド７を第１収容位置に位置させる第２位置（図１４参照）との間を移動可能である。第１連結部材３２は、第１装着方向において、第１位置と第２位置との間を移動可能である。第１連結部材３２は、第１位置と第２位置との間をスライド可能である。第１連結部材３２は、第１カートリッジ３が本体ケーシング２に装着されるときに、第１位置から第２位置へ移動する。第１連結部材３２は、第１カートリッジ３が本体ケーシング２から離脱されるときに、第２位置から第１位置へ移動する。第１連結部材３２は、図８に示すように、本体ケーシング２の内面２２に形成される凹部２２Ａおよび凹部２２Ｂ内に位置する。凹部２２Ｂは、第１装着方向において、凹部２２Ａの下流側に位置する。凹部２２Ｂは、凹部２２Ａと連通する。第１連結部材３２は、第１装着方向に延びる。第１連結部材３２は、リブ３６と、ボス４０（図１０参照）と、第３押圧部材３７とを備える。第１連結部材３２は、長穴３８と、長穴３９（図１０参照）とを有する。
【００６９】
リブ３６は、第１カートリッジ３が本体ケーシング２に装着されるときに、第１装着方向において、後述する第１カートリッジ３のボス５２（図１１Ａ参照）と当たる。リブ３６は、第１装着方向において、第３ガイド７に対して下流側に位置する。リブ３６は、第１装着方向において、第３ガイド７から離れて位置する。リブ３６は、第１連結部材３２の内面から突出する。リブ３６は、幅方向および上下方向に延びる。
【００７０】
図１０に示すように、ボス４０は、第１連結部材３２の外面から突出する。ボス４０は、幅方向に延びる。ボス４０は、円柱形状を有する。ボス４０は、長穴４１に嵌まる。長穴４１は、凹部２２Ｂ（図８参照）内に位置する。長穴４１は、第１装着方向に延びる。ボス４０が長穴４１に嵌まることにより、第１連結部材３２は、第１装着方向に移動可能となる。
【００７１】
図８に示すように、第３押圧部材３７は、第１カートリッジ３が本体ケーシング２から取り外され、かつ、第１連結部材３２が第１位置に位置する状態で、第１収容位置に位置する第３ガイド７（図１２参照）を第１突出位置へ向かって押圧する。第３押圧部材３７は、第１装着方向において、リブ３６に対して上流側に位置する。第３押圧部材３７は、第１装着方向において、リブ３６から離れて位置する。第３押圧部材３７は、長穴３８内に位置する。第３押圧部材３７は、第３ガイド７の移動方向において弾性変形可能である。具体的には、第３押圧部材３７は、ばねである。第３押圧部材３７は、第３ガイド７の移動方向に延びる。第３押圧部材３７は、ボス２４と接触する。第３押圧部材３７は、第１連結部材３２が第１位置に位置し、第３ガイド７が第１収容位置に位置する状態で、第３ガイド７の移動方向において、圧縮される。第３押圧部材３７は、圧縮された状態で、弾性力により、ボス２４を押圧する。第３押圧部材３７は、第１連結部材３２が第１位置に位置し、第３ガイド７が第１収容位置に位置する状態で、ボス２４を押圧することにより、第３ガイド７を第１突出位置に向かって押圧する。
【００７２】
長穴３８には、第３ガイド７のボス２４が嵌まる。長穴３８は、第１装着方向において、リブ３６に対して上流側に位置する。長穴３８は、第１装着方向において、リブ３６から離れて位置する。長穴３８は、第１装着方向に延びる。
【００７３】
図１０に示すように、長穴３９には、後述するリンク部材３５の第１ボス４６が嵌まる。長穴３９は、第１装着方向において、リブ３６（図８参照）と長穴３８（図８参照）との間に位置する。長穴３９は、第１連結部材３２の外面に位置する。長穴３９は、上下方向、つまり、第１装着方向と直交する方向に延びる。
【００７４】
３．１．２  第２押圧部材３３
第２押圧部材３３は、図１４に示すように、第２位置に位置する第１連結部材３２を第１位置に向かって押圧する。第２押圧部材３３は、図１０に示すように、長穴４１内に位置する。第２押圧部材３３は、第１連結部材３２の移動方向において弾性変形可能である。具体的には、第２押圧部材３３は、ばねである。第２押圧部材３３は、第１連結部材３２の移動方向に延びる。第２押圧部材３３は、ボス４０と接触する。第２押圧部材３３は、第１連結部材３２が第２位置に位置する状態で、第１連結部材３２の移動方向において、圧縮される。第２押圧部材３３は、圧縮された状態で、弾性力により、ボス４０を押圧する。第２押圧部材３３は、第１連結部材３２が第２位置に位置する状態で、ボス４０を押圧することにより、第１連結部材３２を第１突出位置に向かって押圧する。
【００７５】
３．１．３  第３ガイド７の詳細
図８に示すように、第２実施形態では、第３ガイド７は、第１連結部材３２に対して、第１装着方向に移動可能に連結される。詳しくは、第３ガイド７のボス２４は、第１連結部材３２の長穴３８に嵌まる。これにより、第３ガイド７は、第１連結部材３２に対して、第１装着方向に移動可能となる。第３ガイド７は、図１２に示すように、第１カートリッジ３が本体ケーシング２から取り外され、かつ、第１連結部材３２が第１位置に位置する状態で、カバー２Ｃが閉位置に位置するときに、第１収容位置に位置する。第３ガイド７は、図７に示すように、カバー２Ｃが開位置に位置するときに、第１突出位置に位置する。
【００７６】
３．１．４  第２ガイド６の詳細
図８に示すように、第２実施形態では、第２ガイド６は、ガイド面６Ａと、ガイド面６Ｂとを有する。
【００７７】
ガイド面６Ａは、第２カートリッジ４が本体ケーシング２に装着されるときに、第２装着方向において、ガイド面６Ｂの下流側で、第２カートリッジ４の一部と接触する。第２カートリッジ４の一部は、具体的には、後述するボス６３（図９Ｂ参照）である。ガイド面６Ａは、幅Ｗ５を有する。
【００７８】
ガイド面６Ｂは、第２カートリッジ４が本体ケーシング２に装着されるときに、第２装着方向において、後述するガイド面４８Ｂの下流側、かつ、ガイド面６Ａの上流側で、第２カートリッジ４の一部と接触する。ガイド面６Ｂは、第２装着方向において、ガイド面６Ａの上流側に位置する。ガイド面６Ｂは、ガイド面６Ａに連続する。詳しくは、ガイド面６Ｂは、幅方向におけるガイド面６Ａの内側端部に連続する。ガイド面６Ｂは、幅Ｗ５よりも短い幅Ｗ６を有する。
【００７９】
３．１．５  第２連結部材３４
図７に示すように、第２連結部材３４は、第４ガイド３１に連結されるとともに、リンク部材３５の他端に連結される。第２連結部材３４は、第４ガイド３１を第２突出位置に位置させる第３位置（図１４参照）と、第４ガイド３１を第２収容位置に位置させる第４位置（図７参照）との間を移動可能である。第２連結部材３４は、第２装着方向において、第３位置と第４位置との間を移動可能である。第２連結部材３４は、第３位置と第４位置との間をスライド可能である。第２連結部材３４は、第１カートリッジ３が本体ケーシング２に装着されるときに、第１連結部材３２の第１位置から第２位置への移動に連動して、第４位置から第３位置へ移動する。第２連結部材３４は、第１カートリッジ３が本体ケーシング２から離脱されるときに、第１連結部材３２の第２位置から第１位置への移動に連動して、第３位置から第４位置へ移動する。第２連結部材３４は、図９に示すように、幅方向において第２ガイド６よりも外側に位置する。第２連結部材３４は、第２装着方向に延びる。第２連結部材３４は、第４押圧部材４２を備える。第２連結部材３４は、長穴４３と、長穴４４（図１０参照）とを備える。
【００８０】
第４押圧部材４２は、第２連結部材３４が第３位置に位置する状態で、第２収容位置に位置する第４ガイド３１（図１７参照）を第２突出位置へ向かって押圧する。第４押圧部材４２は、長穴４３内に位置する。第４押圧部材４２は、第４ガイド３１（図８参照）の移動方向において弾性変形可能である。具体的には、第４押圧部材４２は、ばねである。第４押圧部材４２は、第４ガイド３１の移動方向に延びる。第４押圧部材４２は、後述する第４ガイド３１のボス４９（図８参照）と接触する。第４押圧部材４２は、第２連結部材３４が第３位置に位置し、第４ガイド３１が第２収容位置に位置する状態で、第４ガイド３１の移動方向において、圧縮される。第４押圧部材４２は、圧縮された状態で、弾性力により、ボス４９を押圧する。第４押圧部材４２は、第２連結部材３４が第３位置に位置し、第４ガイド３１が第２収容位置に位置する状態で、ボス４９を押圧することにより、第４ガイド３１を第２突出位置に向かって押圧する。
【００８１】
長穴４３には、第４ガイド３１のボス４９（図８参照）が嵌まる。長穴４３は、第２装着方向に延びる。
【００８２】
図１０に示すように、長穴４４には、後述するリンク部材３５の第２ボス４７が嵌まる。長穴４４は、第２連結部材３４の外面に位置する。長穴４４は、上下方向に延びる。
【００８３】
３．１．６  リンク部材３５
図７および図１４に示すように、リンク部材３５は、第３ガイド７と第４ガイド３１とを連動させる。
【００８４】
詳しくは、図１０に示すように、リンク部材３５は、第１連結部材３２と第２連結部材３４とを連結する。リンク部材３５は、第１連結部材３２に連結される一端と、第２連結部材３４に連結される他端とを有する。他端は、一端から離れて位置する。リンク部材３５は、本体ケーシング２に対して回動可能である。
【００８５】
これにより、図７および図１４に示すように、第１カートリッジ３が本体ケーシング２に装着されるときに、第１連結部材３２が第１位置から第２位置へ移動すると、リンク部材３５が回動することにより、第２連結部材３４が、第４位置から第３位置へ移動する。すると、第１連結部材３２が第１位置から第２位置へ移動することにより、第３ガイド７が第１突出位置から第１収容位置へ移動する。また、第２連結部材３４が第４位置から第３位置へ移動することにより、第４ガイド３１が第２収容位置から第２突出位置へ移動する。すなわち、リンク部材３５は、第１カートリッジ３が本体ケーシング２に装着されるときに、第１連結部材３２および第２連結部材３４を介して、第３ガイド７と第４ガイド３１とを連動させる。
【００８６】
また、第１カートリッジ３が本体ケーシング２から離脱されるときに、第１連結部材３２が第２位置から第１位置へ移動すると、リンク部材３５が回動することにより、第２連結部材３４が、第３位置から第４位置へ移動する。すると、第１連結部材３２が第２位置から第１位置へ移動することにより、第３ガイド７が第１収容位置から第１突出位置へ移動する。また、第２連結部材３４が第３位置から第４位置へ移動することにより、第４ガイド３１が第２突出位置から第２収容位置へ移動する。すなわち、リンク部材３５は、第１カートリッジ３が本体ケーシング２から離脱されるときに、第１連結部材３２および第２連結部材３４を介して、第３ガイド７と第４ガイド３１とを連動させる。
【００８７】
リンク部材３５は、図１０に示すように、回動軸４５と、第１ボス４６と、第２ボス４７とを有する。
【００８８】
回動軸４５は、本体ケーシング２に回転可能に支持される。回動軸４５は、幅方向に延びる。回動軸４５は、円柱形状を有する。リンク部材３５は、回動軸４５について回動可能である。すなわち、リンク部材３５は、幅方向に延びる軸線について回動可能である。
【００８９】
第１ボス４６は、リンク部材３５の一端に位置する。第１ボス４６は、幅方向に延びる。第１ボス４６は、円柱形状を有する。第１ボス４６は、第１連結部材３２の長穴３９に嵌まる。
【００９０】
第２ボス４７は、リンク部材３５の他端に位置する。第２ボス４７は、幅方向に延びる。第２ボス４７は、円柱形状を有する。第２ボス４７は、第２連結部材３４の長穴４４に嵌まる。
【００９１】
３．１．７  第４ガイド３１の詳細
図８に示すように、第４ガイド３１は、第３ガイド７の下方に位置する。第４ガイド３１は、本体ケーシング２の内面２２に形成される凹部２２Ｃ内に位置する。第４ガイド３１は、第２装着方向に沿って、第２突出位置と第２収容位置との間を、スライドする。第４ガイド３１は、第２連結部材３４（図９参照）に対して、第２装着方向に移動可能に連結される。第４ガイド３１は、図１７に示すように、第２連結部材３４が第３位置に位置する状態で、カバー２Ｃが閉位置に位置するときに、第２収容位置に位置する。第４ガイド３１は、図１４に示すように、第２連結部材３４が第３位置に位置する状態で、カバー２Ｃが開位置に位置するときに、第２突出位置に位置する。第４ガイド３１は、図８に示すように、第２装着方向および上下方向に延びる。第４ガイド３１は、平板形状を有する。第４ガイド３１は、ガイドリブ４８と、ボス４９とを有する。なお、第４ガイド３１は、後述するガイド面４８Ａおよびガイド面４８Ｂを有していればよく、ガイドリブ４８の代わりに、ガイド面４８Ａおよびガイド面４８Ｂを有するガイド溝を有してもよい。
【００９２】
ガイドリブ４８は、第４ガイド３１の下端部に位置する。ガイドリブ４８は、第４ガイド３１の内面３１Ａから突出する。ガイドリブ４８は、ガイド面４８Ａと、ガイド面４８Ｂとを有する。
【００９３】
ガイド面４８Ａは、第２カートリッジ４が本体ケーシング２に装着されるときに、第２装着方向において、ガイド面４８Ｂの上流側で、第２カートリッジ４の一部と接触する。ガイド面４８Ａは、第２装着方向に延び、かつ、幅方向に延びる。詳しくは、ガイド面４８Ａは、第２ガイド６のガイド面６Ａに対して傾斜している。ガイド面４８Ａは、第２装着方向の上流側に向かうにつれて、第３ガイド７から離れる方向へ傾斜している。ガイド面４８Ａは、第２装着方向の上流側に向かうにつれて、下方へ傾斜している。ガイド面４８Ａは、幅Ｗ７を有する。
【００９４】
ガイド面４８Ｂは、第２カートリッジ４が本体ケーシング２に装着されるときに、第２装着方向において、ガイド面４８Ａの下流側、かつ、ガイド面６Ｂの上流側で、第２カートリッジ４の一部と接触する。ガイド面４８Ｂは、第２装着方向において、ガイド面４８Ａの下流側に位置する。ガイド面４８Ｂは、ガイド面４８Ａに連続する。詳しくは、ガイド面４８Ｂは、幅方向におけるガイド面４８Ａの外側端部に連続する。ガイド面４８Ｂは、第４ガイド３１が第２収容位置に位置する状態で、幅方向において、ガイド面６Ｂの外側に位置する。つまり、ガイド面４８Ｂは、幅方向において、ガイド面６Ｂと異なる位置に位置する。ガイド面４８Ｂは、第２装着方向に延び、かつ、幅方向に延びる。ガイド面４８Ｂは、幅Ｗ７よりも短い幅Ｗ８を有する。ガイド面４８Ｂは、第４ガイド３１が第２突出位置に位置する状態で、第２装着方向において、ガイド面６Ｂと連続する。ここで、ガイド面４８Ｂとガイド面６Ｂとは、第２装着方向において、第２カートリッジ４の一部を受け渡し可能な程度に、実質的に連続していればよい。
【００９５】
ボス４９は、第４ガイド３１の外面３１Ｂから突出する。ボス４９は、幅方向に延びる。ボス４９は、円柱形状を有する。ボス４９は、第２連結部材３４の長穴４３（図９参照）に嵌まる。長穴４３は、第１装着方向に延びる。ボス４９が長穴４３に嵌まることにより、第４ガイド３１は、第２連結部材３４に対して、第１装着方向に移動可能となる。
【００９６】
３．２  第１カートリッジ３の詳細
図１１Ａに示すように、第１カートリッジ３は、ドラムフレーム５１と、ボス５２と、ハンドル５３とを備える。
【００９７】
ドラムフレーム５１は、感光ドラム１７および帯電ローラ１８を収容する。
【００９８】
ボス５２は、第１カートリッジ３が本体ケーシング２に装着されるときに、第１連結部材３２のリブ３６（図８参照）と当たる。ボス５２は、幅方向に延びる。ボス５２は、アーム５２Ａを介して、ハンドル５３の一端５５Ａに接続される。
【００９９】
ハンドル５３は、ドラムフレーム５１に取り付けられる。ハンドル５３は、ドラムフレーム５１に対して回動可能である。ハンドル５３は、第１アーム５５と、図示しない第２アームと、グリップ５６とを有する。
【０１００】
第１アーム５５は、ドラムフレーム５１に取り付けられる一端５５Ａと、一端から離れて位置する他端５５Ｂと、接触部５５Ｃとを有する。接触部５５Ｃは、一端５５Ａと他端５５Ｂとの間に位置する。接触部５５Ｃは、第１カートリッジ３が本体ケーシング２に装着された状態で、本体ケーシング２内に設けられるリブ５４（図１４参照）と接触する。接触部５５Ｃがリブ５４と接触した状態で、他端５５Ｂとリブ５４とは、上下方向に間隔を隔てる。
【０１０１】
図示しない第２アームは、幅方向において、第１アーム５５と間隔を隔てて位置する。第２アームは、第１アーム５５と同じ形状を有する。
【０１０２】
グリップ５６は、幅方向において、第１アーム５５と第２アームとの間に位置する。グリップ５６は、幅方向に延びる。グリップ５６は、円柱形状を有する。幅方向におけるグリップ５６の一端は、第１アーム５５に接続する。幅方向におけるグリップ５６の他端は、第２アームに接続する。これにより、グリップ５６は、第１アーム５５と第２アームとを連結する。また、グリップ５６は、接触部５５Ｃと他端５５Ｂとの間に位置する。グリップ５６は、第１アーム５５の接触部５５Ｃがリブ５４（図１４参照）と接触した状態で、幅方向において、第２ガイド６（図１４参照）と重なる。また、グリップ５６は、第１アーム５５の接触部５５Ｃがリブ５４と接触した状態で、上下方向において、内部空間２Ｂのほぼ中央に位置する。これにより、第１アーム５５の接触部５５Ｃがリブ５４と接触した状態で、ユーザーは、グリップ５６を掴みやすい。
【０１０３】
３．３  第２カートリッジ４の詳細
図１１Ｂに示すように、第２カートリッジ４は、現像フレーム６１と、リブ６２と、ボス６３とを有する。
【０１０４】
現像フレーム６１は、トナーを収容する。また、現像フレーム６１は、現像ローラ１９および供給ローラ２０を収容する。
【０１０５】
リブ６２は、第２カートリッジ４が本体ケーシング２に装着されるときに、第１カートリッジ３のハンドル５３と接触する。リブ６２は、幅方向において、現像フレーム６１の外面に位置する。リブ６２は、幅方向において、現像フレーム６１の外面から突出する。リブ６２は、第１接触面６２Ａと、第２接触面６２Ｂとを有する。
【０１０６】
第１接触面６２Ａは、図１５に示すように、第２カートリッジ４が本体ケーシング２に装着されるときに、本体ケーシング２内のリブ５４と接触した状態のハンドル５３と接触し、ハンドル５３を上方へ回動させる。第１接触面６２Ａは、第２カートリッジ４が本体ケーシング２に装着されるときに、第２装着方向に対して傾斜する。詳しくは、第１接触面６２Ａは、第２カートリッジ４が本体ケーシング２に装着されるときに、第２装着方向における上流側に向かうにつれて、上方に傾斜する。
【０１０７】
第２接触面６２Ｂは、図１６に示すように、第２カートリッジ４が本体ケーシング２に装着された状態で、第１接触面６２Ａによって回動されたハンドル５３の接触部５３Ｃと接触する。第２接触面６２Ｂは、第２カートリッジ４が本体ケーシング２に装着された状態で、第２装着方向に延びる。
【０１０８】
図１１Ｂに示すボス６３は、第２カートリッジ４が本体ケーシング２に装着されるときに、第２ガイド６（図８参照）に嵌まる。ボス６３は、幅方向において、現像フレーム６１の外面から突出する。ボス６３は、幅方向において、リブ６２よりも外側に位置する。ボス６３は、幅方向に延びる。ボス６３は、円筒形状を有する。
【０１０９】
３．４  第１カートリッジ３および第２カートリッジ４の装着
第２実施形態において、本体ケーシング２に対して第１カートリッジ３および第２カートリッジ４を装着するには、図１２および図７に示すように、ユーザーは、まず、カバー２Ｃを開位置に位置させる。
【０１１０】
すると、カバー２Ｃが開位置に位置するとともに、第３ガイド７が、第３押圧部材３７により、第１連結部材３２に対して相対的に移動し、第１突出位置に位置する。
【０１１１】
これにより、ユーザーは、第１カートリッジ３を第４ガイド３１ではなく第３ガイド７に嵌めるということに、気付くことができる。
【０１１２】
そして、ユーザーが、第１カートリッジ３を、第３ガイド７に嵌めて第１装着方向に押し込むと、第１カートリッジ３は、第３ガイド７によってガイドされた後、第１ガイド５によってガイドされて、第１装着方向へ移動する。
【０１１３】
すると、図１３に示すように、第１カートリッジ３のボス５２が、第１連結部材３２のリブ３６と当たる。
【０１１４】
そして、ユーザが、第１カートリッジ３を第１装着方向にさらに押し込むと、図１４に示すように、第１カートリッジ３は、感光ドラム１７が転写ローラ１２と接触する位置に位置する。
【０１１５】
このとき、第１連結部材３２は、リブ３６にボス５２が当たった状態で、第１カートリッジ３とともに移動することにより、第２押圧部材３３の弾性力に抗して、第１位置から第２位置に移動する。第１連結部材３２が第２位置に位置することにより、第３ガイド７は、第１収容位置に位置する。
【０１１６】
また、このとき、第１連結部材３２が第１位置から第２位置に移動することにより、リンク部材３５が回動し、第２連結部材３４が第４位置から第３位置に移動する。第２連結部材３４が第３位置に位置することにより、第４ガイド３１は、第２突出位置に位置する。
【０１１７】
これにより、本体ケーシング２に対する第１カートリッジ３の装着が完了するとともに、ユーザーは、第２カートリッジ４を第４ガイド３１に嵌めるということに、気付くことができる。
【０１１８】
次いで、ユーザーが、第２カートリッジ４を、第４ガイド３１に嵌めて第２装着方向に押し込むと、第２カートリッジ４は、第４ガイド３１によってガイドされた後、第２ガイド６によってガイドされて、第２装着方向へ移動する。
【０１１９】
ここで、本体ケーシング２に装着された第１カートリッジ３のハンドル５３は、幅方向において、第２ガイド６と重なっている。そのため、第２カートリッジ４が第２装着方向へ移動すると、第２カートリッジ４は、ハンドル５３に当たる。このとき、ハンドル５３には、第２カートリッジ４のリブ６２の第１接触面６２Ａが当たる。
【０１２０】
すると、図１５に示すように、ハンドル５３は、第１接触面６２Ａの傾斜により、上方へ回動する。第２カートリッジ４は、回動したハンドル５３の下方を第２装着方向に移動し、図１６に示すように、現像ローラ１９が感光ドラム１７と接触する位置に位置する。第２カートリッジ４が、現像ローラ１９が感光ドラム１７と接触する位置に位置する状態で、ハンドル５３は、リブ６２の第２接触面６２Ｂによって支持される。
【０１２１】
これにより、本体ケーシング２に対する第２カートリッジ４の装着が完了する。
【０１２２】
その後、ユーザーがカバー２Ｃを閉位置に位置させると、図１７に示すように、カバー２Ｃが第４ガイド３１に当たることにより、第４ガイド３１が第１ガイド５に対して相対的に移動して第２収容位置に位置するとともに、カバー２Ｃが開位置に位置する。
【０１２３】
これにより、本体ケーシング２に対する第１カートリッジ３および第２カートリッジ４の装着が完了する。
【０１２４】
３．５  作用効果
第２実施形態においても、上記した第１実施形態と同様の作用効果を得ることができる。
【０１２５】
４．変形例
上記した第１実施形態および第２実施形態では、第１カートリッジ３がドラムカートリッジであり、第２カートリッジ４が現像カートリッジであるが、第１カートリッジ３は、ドラムカートリッジに限られず、また、第２カートリッジ４も現像カートリッジに限られない。例えば、第１カートリッジ３は、感光ドラムと現像器とを備えるプロセスカートリッジであり、第２カートリッジ４は、プロセスカートリッジとは独立して本体ケーシング２に対して装着されるトナーカートリッジであって、現像器に供給されるトナーを収容するトナーカートリッジであってもよい。
【符号の説明】
【０１２６】
１        画像形成装置
２        本体ケーシング
２Ａ      開口
２Ｃ      カバー
３        第１カートリッジ
４        第２カートリッジ
５        第１ガイド
５Ａ      第１ガイド面
５Ｂ      第２ガイド面
６        第２ガイド
６Ａ      ガイド面
６Ｂ      ガイド面
７        第３ガイド
１７      感光ドラム
１９      現像ローラ
２１      押圧部材
２３Ａ    第３ガイド面
２３Ｂ    第４ガイド面
３１      第４ガイド
３２      第１連結部材
３３      第２押圧部材
３４      第２連結部材
３５      リンク部材
３６      リブ
３７      第３押圧部材
４２      第４押圧部材
５２      ボス
Ｗ１      第１の幅
Ｗ２      第２の幅
Ｗ３      第３の幅
Ｗ４      第４の幅
【図１】
2019015787.tif 000003
【図２】
2019015787.tif 000004
【図３】
2019015787.tif 000005
【図４】
2019015787.tif 000006
【図５】
2019015787.tif 000007
【図６】
2019015787.tif 000008
【図７】
2019015787.tif 000009
【図８】
2019015787.tif 000010
【図９】
2019015787.tif 000011
【図１０】
2019015787.tif 000012
【図１１】
2019015787.tif 000013
【図１２】
2019015787.tif 000014
【図１３】
2019015787.tif 000015
【図１４】
2019015787.tif 000016
【図１５】
2019015787.tif 000017
【図１６】
2019015787.tif 000018
【図１７】
2019015787.tif 000019